(57)【特許請求の範囲】
【請求項１】
被熱交換物を加熱あるいは冷却する熱交換室のほぼ全周にわたりジャケット部を形成して、加熱用あるいは冷却用の循環通路でエゼクタと連通して、加熱流体供給管あるいは冷却流体供給管を接続すると共に、エゼクタにタンクを介して循環ポンプと接続し、当該タンクに冷却流体を補給する冷却流体補給管を接続したものにおいて、冷却流体供給管に冷却流体集合管を接続し、当該冷却流体集合管に管路を介してジャケット部と接続すると共に、冷却流体戻し管からタンクへと戻すことによって、冷却流体供給管内の冷却流体を冷却流体集合管、及び、冷却流体戻し管からタンクへ循環させると共に、冷却流体供給管の熱交換室側の直近に冷却流体を所定温度まで熱交換する冷却流体熱交換器を取り付けたことを特徴とする加熱冷却装置。
【発明の詳細な説明】
【技術分野】
【０００１】
本発明は、熱交換室内で被熱交換物を直接に又は間接に熱交換して、被熱交換物を加熱又は冷却する加熱冷却装置に関する。
【背景技術】
【０００２】
加熱冷却装置は、熱交換室をエゼクタと連通して、当該エゼクタにタンクを介して循環ポンプと接続すると共に、当該タンクへ冷却水を供給することによるタンク内水温の制御部を設けることによって、蒸気の急凝縮に起因するハンマー現象に伴う振動や衝撃を防止することができるものである。
【０００３】
この加熱冷却装置においては、加熱から冷却への切り換え時に、初期の冷却流体の温度を精度良く所定値に維持することができず、その結果として加熱冷却装置の温度制御性を悪化させる問題があった。これは、加熱から冷却へ切り換える場合に、冷却用循環通路に加熱用循環通路の循環流体の一部が残留しており、この残留流体の温度を精度良く所定値に維持することができないためである。
【特許文献１】特公平５−３４０５４号公報
【発明の開示】
【発明が解決しようとする課題】
【０００４】
解決しようとする課題は、冷却用循環通路から熱交換室へ供給される冷却流体の温度を精度良く所定値に維持することによって、加熱から冷却への切り換え時の温度制御性を向上させることである。
【課題を解決するための手段】
【０００５】
本発明は、被熱交換物を加熱あるいは冷却する熱交換室のほぼ全周にわたりジャケット部を形成して、加熱用あるいは冷却用の循環通路でエゼクタと連通して、加熱流体供給管あるいは冷却流体供給管を接続すると共に、エゼクタにタンクを介して循環ポンプと接続し、当該タンクに冷却流体を補給する冷却流体補給管を接続したものにおいて、冷却流体供給管に冷却流体集合管を接続し、当該冷却流体集合管に管路を介してジャケット部と接続すると共に、冷却流体戻し管からタンクへと戻すことによって、冷却流体供給管内の冷却流体を冷却流体集合管、及び、冷却流体戻し管からタンクへ循環させると共に、冷却流体供給管の熱交換室側の直近に冷却流体を所定温度まで熱交換する冷却流体熱交換器を取り付けたものである。
【発明の効果】
【０００６】
本発明の加熱冷却装置は、冷却流体供給管の熱交換室側の直近に冷却流体熱交換器を取り付けたことにより、この冷却流体熱交換器で、熱交換室へ供給する冷却流体の温度を所定値に維持することができ、加熱から冷却への切り換え時の温度制御性を向上させることができる。
【発明を実施するための最良の形態】
【０００７】
本発明は、冷却流体供給管の熱交換室側の直近に冷却流体熱交換器を取り付けるものであるが、冷却流体熱交換器としては、例えば、駆動流体に水を使用するエゼクタによって、加熱あるいは冷却用の流体をエゼクタの吸引室へ供給することにより、エゼクタ内部を通過する冷却流体の温度を任意に制御することができるものが適する。
【実施例１】
【０００８】
本実施例においては、熱交換室として加熱や冷却を行う反応釜１を用いた例を示す。反応釜１の内部に入れた図示しない被熱交換物を、ジャケット部２に供給する加熱源としてのスチームや、冷却源としての冷却水によって加熱あるいは冷却するものである。
【０００９】
反応釜１のほぼ全周にわたりジャケット部２を形成し、ジャケット部２の右下部に排出管１９を取り付けてエゼクタ６と接続する。排出管１９には、開閉弁２０と、蒸気は排出することがなく復水だけを自動的に出口側へ排出することのできる蒸気トラップ２１を並行に配置して、エゼクタ６のノズル部１２の吸引部と接続する。エゼクタ６のディフューザ部７をタンク８に接続する。タンク８の側方を循環通路９で循環ポンプ１０と接続し、更に管路１１でエゼクタ６のノズル部１２と連通する。
【００１０】
管路１１を分岐して冷却流体供給管３を接続する。この冷却流体供給管３のジャケット部２側の直近には、ジャケット部２へ供給する冷却流体の温度を任意に制御するための冷却流体熱交換器としての熱交換エゼクタ５を取り付ける。熱交換エゼクタ５は、加熱あるいは冷却用の流体を供給管２２から供給することによって、内部を通過する冷却流体の温度を任意に制御することができるものである。
【００１１】
熱交換エゼクタ５とジャケット部２の間に冷却流体集合管４を配置する。冷却流体集合管４は、熱交換エゼクタ５から供給される所定温度の冷却流体の一部を、管路１４を介してジャケット部２へ供給すると共に、冷却流体戻し管１６からタンク８へ戻すものである。
【００１２】
タンク８内の冷却水が循環ポンプ１０で循環され、管路１１からエゼクタ６のノズル部１２を通ってタンク８内へと循環すると共に、冷却流体供給管３と冷却流体集合管４、及び、冷却流体戻し管１６を通ってタンク８に流下して循環する。タンク８の左側上部には、冷却水補給管１３を接続する。
【００１３】
反応釜１のジャケット部２に、加熱流体供給管としての蒸気供給管１５を接続する。蒸気供給管１５には供給する蒸気の圧力を制御するための圧力制御弁１７を取り付ける。また、循環ポンプ１０の吐出側には、余剰流体排出管２３を接続して、タンク８内の液位を所定範囲に維持することができるようにする。
【００１４】
反応釜1内の図示しない被熱交換物を加熱する場合は、蒸気供給管１５から加熱に適した温度の蒸気をジャケット部２へ供給することによって、蒸気が反応釜1内の被熱交換物に熱を与えて加熱する。加熱により蒸気の凝縮した復水及び凝縮しなかった蒸気の一部は、排出管１９と蒸気トラップ２１あるいは開閉弁２０を通ってエゼクタ６に吸引されタンク８に至る。
【００１５】
一方、反応釜１内の被熱交換物を冷却する場合は、循環ポンプ１０を駆動して冷却流体供給管３内の冷却流体を冷却流体集合管４、及び、冷却流体戻し管１６からタンク８へ供給すると共に、エゼクタ６にも冷却流体を供給してエゼクタ６で吸引力を発生させることにより、ジャケット部２内を所定の圧力状態、例えば、大気圧以下の真空状態、とすることにより、冷却流体が反応釜１内の被熱交換物の熱を奪って蒸発することにより、その蒸発潜熱によって被熱交換物を気化冷却することができるものである。
【００１６】
冷却流体供給管３から冷却流体集合管４を通ってジャケット部２へ供給される冷却流体は、熱交換エゼクタ５によって所定の温度に制御することができるために、加熱から冷却へと切り換える場合に、この精度良く所定温度値に維持された循環流体を、ジャケット部２へ供給することができ、温度制御性を向上させることができる。
【００１７】
ジャケット部２で被冷却物の熱を奪って蒸発気化した気化蒸気及び冷却流体の残りは、開閉弁２０並びに蒸気トラップ２１からエゼクタ６に吸引されタンク８に至る。
【図面の簡単な説明】
【００１８】
【図１】本発明の加熱冷却装置の実施例を示す構成図。
【符号の説明】
【００１９】
１  反応釜
２  ジャケット部
３  冷却流体供給管
４  冷却流体集合管
５  熱交換エゼクタ
６  エゼクタ
８  タンク
１０  循環ポンプ
１２  ノズル部
１３  冷却水補給管
１４  管路
１５  蒸気供給管
１６  冷却流体戻し管
１９  排出管
２０  開閉弁
２１  蒸気トラップ
２３  余剰流体排出管
【図１】
0005184159.tif 000002